(57)【要約】【課題】嵌合作業中にコネクタ本体の嵌合ガイド部等が損傷を受けたり破損したりしてしまうことがなく、信頼性が高くなるようにする。【解決手段】コネクタ本体は、相手方嵌合ガイド部が挿入される嵌合凹部が形成された嵌合ガイド部を含み、補強金具は、嵌合ガイド部の端壁部に取付けられる本体部と、本体部の両端に接続され、コネクタ本体の長手方向中心を向いて延出する左右一対の接続腕部であって、嵌合ガイド部の側壁部に取付けられる接続腕部とを含み、接続腕部は、嵌合方向に延在する側板部と、側板部の上端に接続された側壁上カバー部とを含み、側板部の外側の少なくとも一部が側壁の外側部分によって覆われ、側壁上カバー部は、その先端が嵌合凹部内を向くように湾曲し、側壁部の内側部分の上面の少なくとも一部を覆う。【選択図】図１
2020184459.tif 000002
【特許請求の範囲】
【請求項１】
（ａ）コネクタ本体と、該コネクタ本体に取付けられる端子と、前記コネクタ本体に取付けられる補強金具とを備えるコネクタであって、
（ｂ）前記コネクタ本体は、長手方向両端に形成された嵌合ガイド部であって、相手方コネクタの相手方コネクタ本体の長手方向両端に形成された相手方嵌合ガイド部が挿入される嵌合凹部が形成された嵌合ガイド部を含み、
（ｃ）前記補強金具は、前記コネクタ本体の幅方向に延在する本体部であって、前記嵌合ガイド部の端壁部に取付けられる本体部と、該本体部の両端から延出する左右一対の接続腕部であって、前記嵌合ガイド部の側壁部に取付けられる接続腕部とを含み、
（ｄ）該接続腕部は、側板部と、該側板部の上端に接続された側壁上カバー部とを含み、前記側板部の外側の少なくとも一部が前記側壁部の外側部分によって覆われることを特徴とするコネクタ。
【請求項２】
前記側板部は貫通孔を含み、該貫通孔を通して、前記側壁部の外側部分と内側部分とが連結されている請求項１に記載のコネクタ。
【請求項３】
前記側壁部の外側部分の上面は、前記側壁上カバー部の上端よりも低い位置にある請求項１又は２に記載のコネクタ。
【請求項４】
前記側板部の下端面は、前記側壁部の下方に露出し、前記コネクタが実装される回路基板の表面に当接可能である請求項１〜３のいずれか１項に記載のコネクタ。
【請求項５】
前記補強金具は、前記嵌合凹部の底面を覆う底面カバー部と、該底面カバー部の左右両側に接続された左右一対の接触腕部であって、前記嵌合凹部に挿入された相手方嵌合ガイド部に取付けられた相手方補強金具と接触可能な接触腕部を含み、該接触腕部は、前記コネクタ本体の幅方向に弾性的に変位可能なばね部と、該ばね部の自由端に接続された接触凸部であって、前記コネクタ本体の幅方向を向いて突出する接触凸部とを含んでいる請求項１〜４のいずれか１項に記載のコネクタ。
【請求項６】
前記接触凸部の上半部は、その先端が前記コネクタ本体の幅方向外方に向けて斜め上方向に向くように延出し、前記先端は、前記側壁上カバー部の先端と対向して近接し、かつ、該側壁上カバー部の先端より下方に位置している請求項５に記載のコネクタ。
【請求項７】
請求項１〜６のいずれか１項に記載のコネクタと、該コネクタと嵌合する相手方コネクタとを有するコネクタ組立体。
【発明の詳細な説明】
【技術分野】
【０００１】
本開示は、コネクタ及びコネクタ組立体に関するものである。
【背景技術】
【０００２】
従来、一対の平行な回路基板同士を電気的に接続するために、基板対基板コネクタ等のコネクタが使用されている。このようなコネクタは、一対の回路基板における相互に対向する面の各々に取付けられ、互いに嵌合して導通するようになっている。また、両端部に取付けた補強金具をロック部材として機能させ、相手方コネクタとの嵌合状態を保持する技術が提案されている（例えば、特許文献１参照。）。
【０００３】
図１０は従来のコネクタを示す斜視図である。
【０００４】
図において、８１１は、図示されない回路基板に実装されるコネクタのハウジングであり、前記コネクタは、図示されない相手方コネクタと嵌合されて電気的に接続される。前記ハウジング８１１は、長手方向に延在する一対の側壁部と、該側壁部の長手方向両端に接続された一対の嵌合ガイド部とを備え、各嵌合ガイド部には、嵌合凹部が形成されている。そして、前記側壁部には複数の端子８６１が取付けられ、嵌合ガイド部には補強金具８５１が取付けられている。該補強金具８５１は、ハウジング８１１の側壁部に沿って延在する側方アーム８５３と、嵌合凹部に沿って延在するＵ字アーム８５８とを有し、該Ｕ字アーム８５８の先端は、ハウジング８１１の中島８１３の両端に形成された凹部８１７に係合可能となっている。
【０００５】
そして、コネクタが相手方コネクタと嵌合すると、各端子８６１と相手方コネクタの相手方端子とが互いに接触する。これにより、コネクタが実装された回路基板と相手方コネクタが実装された相手方回路基板とが電気的に接続される。また、相手方ハウジングの嵌合凸部がハウジングの嵌合ガイド部の嵌合凹部内に進入する。そして、前記嵌合ガイド部に取付けられた補強金具８５１が、相手方ハウジングの嵌合凸部に取付けられた相手方補強金具と係合する。
【先行技術文献】
【特許文献】
【０００６】
【特許文献１】特開２０１５−２０７５５７号公報
【発明の概要】
【発明が解決しようとする課題】
【０００７】
しかしながら、前記従来のコネクタにおいては、嵌合作業の際に、ハウジング８１１が損傷を受けたり、破損したりしてしまうことがある。回路基板に取付けられたコネクタと相手方回路基板に取付けられた相手方コネクタとを嵌合する場合、作業条件によっては、オペレータがハウジング８１１の嵌合面及び相手方ハウジングの嵌合面を目視することができず、手探りで嵌合作業を行わなければならないことがある。特に、近年では、基板対基板コネクタの小型化及び低背化が進んでいるので、オペレータがハウジング８１１の嵌合面及び相手方ハウジングの嵌合面を目視することが困難である。
【０００８】
この場合、オペレータは、手探りで、ハウジング８１１の嵌合面と相手方ハウジングの嵌合面とを摺動させながら、ハウジング８１１に対する相手方ハウジングの位置を調整して、相手方ハウジングの嵌合凸部をハウジング８１１の嵌合凹部内に挿入させる。
【０００９】
そのため、ハウジング８１１と相手方ハウジングとの位置合せが完了しない状態で、ハウジング８１１に相手方ハウジングから嵌合方向への力が加えられたり、ハウジング８１１に対して相手方ハウジングを回転させる動作によってハウジング８１１の嵌合面に相手方ハウジングの嵌合面が擦り付けられたりする場合がある。このような場合、ハウジング８１１の嵌合面の一部が大きな押圧力を受け、傷付いたり、破損したりしてしまうことがある。特に、近年では、基板対基板コネクタの小型化及び低背化が進んでいるので、ハウジング８１１の各部の肉厚が薄く、強い力を受けた場合、容易に破損してしまう。さらに、端子８６１が相手方ハウジング等の相手方コネクタの部材と接触し、損傷を受けたり、破損したりする可能性もある。
【００１０】
また、補強金具８５１及び相手方補強金具を回路基板及び相手方回路基板の電源ライン等に接続しておくことによって、補強金具８５１及び相手方補強金具を電気回路接続部材として利用することも考えられるが、補強金具８５１が十分な柔軟性を備えていない場合には、回路基板が実装されている電子機器等が落下したり外力を受けたりする際に発生する振動や衝撃が伝達されると、補強金具８５１と相手方補強金具との接触が保たれなくなり、電源ラインとして十分な導通を確保することができなくなることが考えられる。
【００１１】
ここでは、前記従来のコネクタの問題点を解決して、嵌合作業中にコネクタ本体の嵌合ガイド部等が損傷を受けたり破損したりしてしまうことがなく、信頼性の高いコネクタ及びコネクタ組立体を提供することを目的とする。
【課題を解決するための手段】
【００１２】
そのために、コネクタにおいては、コネクタ本体と、該コネクタ本体に取付けられる端子と、前記コネクタ本体に取付けられる補強金具とを備えるコネクタであって、前記コネクタ本体は、長手方向両端に形成された嵌合ガイド部であって、相手方コネクタの相手方コネクタ本体の長手方向両端に形成された相手方嵌合ガイド部が挿入される嵌合凹部が形成された嵌合ガイド部を含み、前記補強金具は、前記コネクタ本体の幅方向に延在する本体部であって、前記嵌合ガイド部の端壁部に取付けられる本体部と、該本体部の両端から延出する左右一対の接続腕部であって、前記嵌合ガイド部の側壁部に取付けられる接続腕部とを含み、該接続腕部は、側板部と、該側板部の上端に接続された側壁上カバー部とを含み、前記側板部の外側の少なくとも一部が前記側壁部の外側部分によって覆われる。
【００１３】
他のコネクタにおいては、さらに、前記側板部は貫通孔を含み、該貫通孔を通して、前記側壁部の外側部分と内側部分とが連結されている。
【００１４】
更に他のコネクタにおいては、さらに、前記側壁部の外側部分の上面は、前記側壁上カバー部の上端よりも低い位置にある。
【００１５】
更に他のコネクタにおいては、さらに、前記側板部の下端面は、前記側壁部の下方に露出し、前記コネクタが実装される回路基板の表面に当接可能である。
【００１６】
更に他のコネクタにおいては、さらに、前記補強金具は、前記嵌合凹部の底面を覆う底面カバー部と、該底面カバー部の左右両側に接続された左右一対の接触腕部であって、前記嵌合凹部に挿入された相手方嵌合ガイド部に取付けられた相手方補強金具と接触可能な接触腕部を含み、該接触腕部は、前記コネクタ本体の幅方向に弾性的に変位可能なばね部と、該ばね部の自由端に接続された接触凸部であって、前記コネクタ本体の幅方向を向いて突出する接触凸部とを含んでいる。
【００１７】
更に他のコネクタにおいては、さらに、前記接触凸部の上半部は、その先端が前記コネクタ本体の幅方向外方に向けて斜め上方向に向くように延出し、前記先端は、前記側壁上カバー部の先端と対向して近接し、かつ、該側壁上カバー部の先端より下方に位置している。
【００１８】
コネクタ組立体においては、本開示のコネクタと、該コネクタと嵌合する相手方コネクタとを有する。
【発明の効果】
【００１９】
本開示によれば、コネクタは、嵌合作業中にコネクタ本体の嵌合ガイド部等が損傷を受けたり破損したりしてしまうことがなく、信頼性が向上する。
【図面の簡単な説明】
【００２０】
【図１】本実施の形態における嵌合前の第１コネクタと第２コネクタとの位置関係を示す第２コネクタ側から観た斜視図である。
【図２】本実施の形態における第１コネクタの分解図である。
【図３】本実施の形態における第１コネクタの二面図であって、（ａ）は平面図、（ｂ）は（ａ）におけるＡ−Ａ矢視断面図である。
【図４】本実施の形態における第１コネクタの断面図であって、（ａ）は図３（ａ）におけるＢ−Ｂ矢視断面図、（ｂ）は図３（ａ）におけるＣ−Ｃ矢視断面図である。
【図５】本実施の形態における嵌合前の第１コネクタと第２コネクタとの位置関係を示す第１コネクタ側から観た斜視図である。
【図６】本実施の形態における第２コネクタの分解図である。
【図７】本実施の形態における第２コネクタの平面図である。
【図８】本実施の形態における第１コネクタと第２コネクタとの嵌合を解除する際の第２コネクタ側から観た平面図である。
【図９】本実施の形態における第１コネクタと第２コネクタとの嵌合を解除する際の断面図であって図８におけるＤ−Ｄ矢視断面図である。
【図１０】従来のコネクタを示す斜視図である。
【発明を実施するための形態】
【００２１】
以下、実施の形態について図面を参照しながら詳細に説明する。
【００２２】
図１は本実施の形態における嵌合前の第１コネクタと第２コネクタとの位置関係を示す第２コネクタ側から観た斜視図、図２は本実施の形態における第１コネクタの分解図、図３は本実施の形態における第１コネクタの二面図、図４は本実施の形態における第１コネクタの断面図である。なお、図３において、（ａ）は平面図、（ｂ）は（ａ）におけるＡ−Ａ矢視断面図であり、図４において、（ａ）は図３（ａ）におけるＢ−Ｂ矢視断面図、（ｂ）は図３（ａ）におけるＣ−Ｃ矢視断面図である。
【００２３】
図において、１は本実施の形態におけるコネクタであって、コネクタ組立体（コネクタアセンブリ）である一対の基板対基板コネクタの一方としての第１コネクタである。該第１コネクタ１は、実装部材としての図示されない基板である第１基板の表面に実装される表面実装型のコネクタであって、相手方コネクタとしての第２コネクタ１０１と互いに嵌合される。また、該第２コネクタ１０１は一対の基板対基板コネクタの他方であり、実装部材としての図示されない基板である第２基板の表面に実装される表面実装型のコネクタである。
【００２４】
なお、本実施の形態における第１コネクタ１及び第２コネクタ１０１は、好適には、基板としての第１基板及び第２基板を電気的に接続するために使用するものであるが、他の部材を電気的に接続するためにも使用することができる。前記第１基板及び第２基板は、例えば、電子機器等に使用されるプリント回路基板、フレキシブルフラットケーブル（ＦＦＣ）、フレキシブル回路基板（ＦＰＣ）等であるが、いかなる種類の基板であってもよい。
【００２５】
また、本実施の形態において、第１コネクタ１及び第２コネクタ１０１の各部の構成及び動作を説明するために使用される上、下、左、右、前、後等の方向を示す表現は、絶対的なものでなく相対的なものであり、前記第１コネクタ１及び第２コネクタ１０１の各部が図に示される姿勢である場合に適切であるが、その姿勢が変化した場合には姿勢の変化に応じて変更して解釈されるべきものである。
【００２６】
そして、前記第１コネクタ１は、合成樹脂等の絶縁性材料によって一体的に形成されたコネクタ本体としての第１ハウジング１１を有する。該第１ハウジング１１は、図に示されるように、概略直方体である概略長方形の厚板状の形状を備え、第２コネクタ１０１が嵌入される側、すなわち、嵌合面１１ａ側（Ｚ軸正方向側）には、周囲が囲まれた概略長方形の凹部１２であって、第２コネクタ１０１の第２ハウジング１１１と嵌合する凹部１２が形成されている。前記第１コネクタ１は、例えば、縦（Ｘ軸方向の寸法）約６．０〔ｍｍ〕、横（Ｙ軸方向の寸法）約２．０〔ｍｍ〕及び厚さ（Ｚ軸方向の寸法）約０．６〔ｍｍ〕の寸法を備えるものであるが、寸法は適宜変更することができる。そして、該凹部１２内には後述される凹溝部１１３と嵌合する中島としての第１凸部１３が第１ハウジング１１と一体的に形成され、また、前記第１凸部１３の両側（Ｙ軸正方向側及び負方向側）には該第１凸部１３と平行に延在する側壁部１４が第１ハウジング１１と一体的に形成されている。
【００２７】
この場合、前記第１凸部１３及び側壁部１４は、凹部１２の底面を画定する底板１８から上方（Ｚ軸正方向）に向けて突出し、第１ハウジング１１の長手方向（Ｘ軸方向）に延在する。これにより、前記第１凸部１３の両側には、凹部１２の一部として、第１ハウジング１１の長手方向に延在する細長い凹部である凹溝部１２ａが形成される。
【００２８】
ここで、前記第１凸部１３の両側の側面には凹溝状の第１端子収容内側キャビティ１５ａが形成されている。また、前記側壁部１４の内側の側面には凹溝状の第１端子収容外側キャビティ１５ｂが形成されている。そして、前記第１端子収容内側キャビティ１５ａと第１端子収容外側キャビティ１５ｂとは、凹溝部１２ａの底面において連結され互いに一体化しているので、第１端子収容内側キャビティ１５ａと第１端子収容外側キャビティ１５ｂとを統合的に説明する場合には、第１端子収容キャビティ１５として説明する。なお、該第１端子収容キャビティ１５は、前記底板１８を板厚方向（Ｚ軸方向）に貫通するように形成される。
【００２９】
本実施の形態において、第１端子収容キャビティ１５は、第１ハウジング１１の長手方向に並んで該第１ハウジング１１の幅方向（Ｙ軸方向）両側に形成されている。具体的には、第１凸部１３の両側に、所定のピッチ（例えば、約０．３５〔ｍｍ〕）で複数個（例えば、１０個）ずつ形成されている。なお、前記第１端子収容キャビティ１５のピッチ及び数は適宜変更することができる。そして、第１端子収容キャビティ１５の各々に収容されて第１ハウジング１１に装填される端子としての第１端子６１も、第１凸部１３の両側に、同様のピッチで複数個ずつ配設されている。
【００３０】
前記第１端子６１は、導電性の金属板に打抜き、曲げ等の加工を施すことによって一体的に形成された部材であり、被保持部６３と、該被保持部６３の下端に接続されたテール部６２と、前記被保持部６３の上端に接続された上側接続部６７と、該上側接続部６７の下端に接続され、前記被保持部６３に対向する第２接触部６６と、該第２接触部６６の下端に接続された下側接続部６４と、該下側接続部６４における第２接触部６６と反対側の端に接続された内側接続部６５とを備える。
【００３１】
そして、前記被保持部６３は、嵌合方向（Ｚ軸方向）、すなわち、第１ハウジング１１の厚さ方向に延在し、前記第１端子収容外側キャビティ１５ｂに嵌入されて保持される部分である。また、前記テール部６２は、被保持部６３に対して曲げて接続され、左右方向（Ｙ軸方向）、すなわち、第１ハウジング１１の幅方向の外方を向いて延出し、第１基板の導電トレースに連結された接続パッドにはんだ付等によって接続される。なお、前記導電トレースは、典型的には、信号ラインである。さらに、前記上側接続部６７は、上方（Ｚ軸正方向）を向いて突出するように湾曲した部分である。
【００３２】
前記上側接続部６７における被保持部６３と反対側の下端には、下方（Ｚ軸負方向）に向けて延在する第２接触部６６が接続されている。そして、前記上側接続部６７は、上端から斜め下方に向って直線状に又は緩い曲面状に下降する傾斜部６７ａと、該傾斜部６７ａの下端において、第１ハウジング１１の幅方向の内方を向いて突出する突出部６７ｂとを含んでいる。
【００３３】
また、前記下側接続部６４は、前記第２接触部６６の下端に接続された略Ｕ字状の側面形状を備える部分である。前記下側接続部６４において、第２接触部６６の下端に接続された部分は、下方外側湾曲部６４ｂであり、内側接続部６５の下端に接続された部分は、下方内側湾曲部６４ａである。さらに、前記内側接続部６５の上端には、上方に向って、かつ、第２接触部６６に向って突出するように約１８０度湾曲した第１接触部６５ａが接続されている。
【００３４】
前記第１端子６１は、第１ハウジング１１の下面（Ｚ軸負方向面）である実装面１１ｂから、第１端子収容キャビティ１５内に嵌入され、被保持部６３が側壁部１４の内側の側面に形成された第１端子収容外側キャビティ１５ｂの側壁によって両側から挟持されることにより、第１ハウジング１１に固定される。この状態、すなわち、第１端子６１が第１ハウジング１１に装填された状態において、前記第１接触部６５ａと第２接触部６６とは、凹溝部１２ａの左右両側に位置し、互いに向合っている。
【００３５】
また、図４（ｂ）に示されるように、第１ハウジング１１の長手方向（Ｘ軸方向）から観て、被保持部６３は大部分が第１端子収容外側キャビティ１５ｂ内に収容され、第１接触部６５ａは大部分が第１端子収容内側キャビティ１５ａ内に収容されている。さらに、上側接続部６７の上面は、側壁部１４の上面、すなわち、第１ハウジング１１の嵌合面１１ａより低い位置にあり、第１接触部６５ａの上面も第１凸部１３の上面より低い位置にある。すなわち、第１端子６１は、嵌合面１１ａから突出していない。
【００３６】
なお、第１端子６１は、金属板に加工を施すことによって一体的に形成された部材であるので、ある程度の弾性を備える。そして、その形状から明らかなように、互いに向合う第１接触部６５ａと第２接触部６６との間隔は、弾性的に変化可能である。すなわち、第１接触部６５ａと第２接触部６６との間に第２コネクタ１０１が備える第２端子１６１が挿入されると、それにより、第１接触部６５ａと第２接触部６６との間隔は弾性的に伸長する。
【００３７】
前記第１凸部１３における第１端子収容内側キャビティ１５ａに対応する箇所は、幅方向の寸法が小さい薄壁部１３ａとなっている。したがって、第１接触部６５ａと第２接触部６６との間に第２端子１６１が挿入され、第１接触部６５ａと第２接触部６６との間隔が弾性的に伸長しても、第１端子６１が、より詳細には、内側接続部６５や下方内側湾曲部６４ａが、前記第１凸部１３の薄壁部１３ａに当接しない。なお、第１凸部１３における第１端子収容内側キャビティ１５ａに対応しない箇所は、幅方向の寸法が小さくなっておらず、その下端が凹溝部１２ａの底面を画定する底板１８に接続されている。
【００３８】
また、前記第１ハウジング１１の長手方向両端には嵌合ガイド部としての第１突出端部２１が各々配設されている。各第１突出端部２１には、前記凹部１２の一部として嵌合凹部２２が形成されている。該嵌合凹部２２は、略長方形の凹部であり、各凹溝部１２ａの長手方向両端に接続されている。そして、前記嵌合凹部２２内には、第１コネクタ１及び第２コネクタ１０１が嵌合された状態において、該第２コネクタ１０１が備える第２突出端部１２２が挿入される。
【００３９】
さらに、前記第１突出端部２１は、側壁部１４の長手方向両端から第１ハウジング１１の長手方向に延出する第１突出端部２１の側壁部としての側壁延長部２１ｃと、第１ハウジング１１の幅方向に延在し、両端が側壁延長部２１ｃに接続された端壁部２１ｂとを備える。各第１突出端部２１において、端壁部２１ｂとその両端に接続された側壁延長部２１ｃとは、連続した略コ字状の側壁を形成し、略長方形の嵌合凹部２２の三方を画定する。そして、前記端壁部２１ｂにおいて、外側面には凹入する外端凹部２３ａが形成され、内側面には凹入する内端凹部２３ｂが形成されている。また、前記側壁延長部２１ｃにおいて、内側面には凹入する内側凹部２３ｃが形成されている。さらに、内側面と外側面との間には、上下方向に貫通するスリット状の中間凹部２３ｄが形成されている。
【００４０】
また、前記第１凸部１３における第１ハウジング１１の長手方向の端部である島端部１７における長手方向の端面（端壁部２１ｂに対向する面）には、凹入する島端凹部１７ａが形成されている。さらに、前記島端部１７の上面における島端凹部１７ａとの境界部には、上下方向に貫通するスリット状の島凹部１７ｂが形成されている。また、前記嵌合凹部２２の底面を画定する底板１８には、該底板１８を板厚方向に貫通する底開口１８ａが形成されている。
【００４１】
そして、前記第１突出端部２１には、第１ハウジング１１に装填される補強金具としての第１補強金具５１が取付けられる。本実施の形態において、第１補強金具５１は、金属板に打抜き、曲げ等の加工を施すことによって一体的に形成された部材であり、第１突出端部２１の端壁部２１ｂの外側を覆う本体部としての端壁カバー部５７、該端壁カバー部５７の左右両端に接続された接続腕部５３と、前記端壁カバー部５７に接続され、嵌合凹部２２の底面を覆う底面カバー部５８と、該底面カバー部５８に接続された島端カバー部５５及び左右一対の接触腕部５４とを備える。
【００４２】
なお、前記第１補強金具５１と第１ハウジング１１とは、オーバーモールド成形（インサート成形）によって互いに一体化される。そのため、第１ハウジング１１における第１補強金具５１が取付けられる箇所の各部、例えば、外端凹部２３ａ、内端凹部２３ｂ、中間凹部２３ｄ、島端凹部１７ａ、島凹部１７ｂ等は、必ずしも、第１補強金具５１と離れた状態で、図２に示されるような形状で存在するものでないが、図２の描画は、あくまでも説明の都合上なされたものであることに留意されたい。
【００４３】
前記端壁カバー部５７は、全体的に第１ハウジング１１の幅方向に延在して端壁部２１ｂの上面の過半を覆う端壁上カバー部５７ａと、該端壁上カバー部５７ａにおける端壁部２１ｂの外側端縁から下方に向けて延出する端壁外カバー部５７ｂと、該端壁外カバー部５７ｂの下端に曲げて接続され、前後方向（Ｘ軸方向）、すなわち、第１ハウジング１１の長手方向の外方を向いて延出するテール部５７ｃとを含んでいる。
【００４４】
前記端壁上カバー部５７ａは、端壁部２１ｂの上端から嵌合凹部２２内に向けて斜め下方向に延出する傾斜部であって、該傾斜部の外面が露出した状態で、内端凹部２３ｂ内の上端近傍部分に収容される。したがって、嵌合凹部２２における第１ハウジング１１の長手方向端側の内面の上端近傍は、図３（ｂ）に示されるように、端壁上カバー部５７ａに覆われた傾斜面となる。また、端壁部２１ｂにおける外端凹部２３ａは、ほぼ全体が端壁外カバー部５７ｂによって覆われる。さらに、前記テール部５７ｃは、第１基板の導電トレースに連結された接続パッドにはんだ付等によって接続される。なお、前記導電トレースは、典型的には、電力ライン又はグラウンドラインである。
【００４５】
また、前記接続腕部５３は、端壁カバー部５７の幅方向（Ｙ軸方向）両端のそれぞれに曲げて接続され、第１ハウジング１１の長手方向中心を向いて延出する部材である。そして、各接続腕部５３の先端には、概略長方形の平板状の側板部５３ｂが形成され、該側板部５３ｂの上端には側壁上カバー部５３ａが接続されている。
【００４６】
第１補強金具５１と第１ハウジング１１とが一体化されると、接続腕部５３の過半が第１突出端部２１に埋設され、前記側板部５３ｂは、その過半が、図４（ａ）に示されるように、側壁延長部２１ｃに形成された中間凹部２３ｄ内に収容されたような姿勢で側壁延長部２１ｃ内に埋設される。したがって、側板部５３ｂの外側も内側も、第１ハウジング１１を形成する合成樹脂等の絶縁材料によって覆われる。すなわち、側板部５３ｂの外側の少なくとも一部、望ましくは、過半は、中間凹部２３ｄの外側を画定する側壁延長外側部２１ｃ１によって覆われ、側板部５３ｂの内側の少なくとも一部、望ましくは、過半は、中間凹部２３ｄの内側を画定する側壁延長内側部２１ｃ２によって覆われる。なお、側板部５３ｂには、該側板部５３ｂをその板圧方向に貫通する貫通孔５３ｄが形成され、該貫通孔５３ｄを通して、側壁延長部２１ｃの外側部分としての側壁延長外側部２１ｃ１と側壁延長部２１ｃの内側部分としての側壁延長内側部２１ｃ２とが互いに連結されている。したがって、側壁延長部２１ｃは、側板部５３ｂと強固に一体化され、幅方向の寸法が小さく、肉薄であっても、高い強度を発揮する。
【００４７】
なお、側板部５３ｂの嵌合方向、すなわち、上下方向（Ｚ軸方向）の寸法は、側壁延長部２１ｃよりも大きく、側板部５３ｂの上端近傍及び下端近傍は、側壁延長部２１ｃの上下に露出する。そして、前記側板部５３ｂの下端面５３ｃは、前記テール部５７ｃの下面と面一であって、第１基板の表面に当接し、電力ライン又はグラウンドラインに連結された接続パッドにはんだ付等によって接続されることが望ましい。これにより、一体化した側壁延長部２１ｃ及び側板部５３ｂの強度が更に向上する。
【００４８】
また、前記側板部５３ｂの上端に接続された側壁上カバー部５３ａは、９０度以上湾曲し、その先端５３ｅが嵌合凹部２２内に向けて斜め下方向に向くように延出し、前記先端５３ｅの近傍の上面は、傾斜面５３ｆとなっている。図４（ａ）に示されるように、前記側壁上カバー部５３ａは曲率半径が比較的小さくなるように湾曲し、側壁延長内側部２１ｃ２の上面の少なくとも一部、望ましくは過半を覆うように露出する。なお、側壁延長外側部２１ｃ１の上面は、側壁上カバー部５３ａによって覆われることなく露出しているが、側壁上カバー部５３ａの上端よりも低い位置にある。該側壁上カバー部５３ａの上端の位置は、端壁上カバー部５７ａの上端の位置と同等である。
【００４９】
前記底面カバー部５８は、端壁カバー部５７の端壁上カバー部５７ａの先端に曲げて接続され、上下方向に延在する端壁下カバー部５８ａと、該端壁下カバー部５８ａの下端にほぼ９０度曲げて接続され、第１ハウジング１１の長手方向中心を向いてＸ−Ｙ平面にほぼ平行に延出する底面部５８ｂとを含んでいる。前記端壁下カバー部５８ａは、端壁部２１ｂに形成された内端凹部２３ｂの下半部の過半を覆うようになっている。また、前記底面部５８ｂは、底板１８を板厚方向に貫通する底開口１８ａの過半を塞ぎ、その上面が嵌合凹部２２の実質的な底面となっている。
【００５０】
前記島端カバー部５５は、底面カバー部５８の底面部５８ｂの先端にほぼ９０度曲げて接続され、上下方向に延在する島端外面カバー部５５ａと、該島端外面カバー部５５ａの上端に接続され、約１８０度湾曲する島端上面カバー部５５ｂと、該島端上面カバー部５５ｂの先端から下方に向けて延出する島端没入部５５ｃとを含んでいる。なお、前記島端カバー部５５の幅方向の寸法は、底面カバー部５８より狭く、第１凸部１３の幅よりわずかに狭い程度に設定されている。
【００５１】
第１補強金具５１と第１ハウジング１１とが一体化されると、島端没入部５５ｃの全体及び島端上面カバー部５５ｂの一部が、図３（ｂ）に示されるように、島凹部１７ｂ内に収容されたような姿勢で第１凸部１３内に埋設される。また、島端外面カバー部５５ａ及び島端上面カバー部５５ｂの過半が島端凹部１７ａの全体を覆うようにして、第１凸部１３の端部に露出する。これにより、第１凸部１３の端部は、一体化した島端カバー部５５によって覆われるので、確実に保護される。また、第１補強金具５１は、長手方向の両端において、端壁カバー部５７が端壁部２１ｂと一体化されるとともに島端カバー部５５が第１凸部１３と一体化されるので、強度が向上する。
【００５２】
左右一対の接触腕部５４の各々は、底面カバー部５８の底面部５８ｂの側端に基端が接続されたばね部５４ａと、該ばね部５４ａの先端（自由端）に接続された接触凸部５４ｂとを有する。前記接触腕部５４は、図４（ａ）に示されるように、前後方向から観て、略Ｓ字形状をとなるように湾曲した板部材である。そして、前記ばね部５４ａは、第１ハウジング１１の幅方向外方に突出するように湾曲した部分であって、その先端が第１ハウジング１１の幅方向に弾性的に変位可能なばねとして機能する。また、前記接触凸部５４ｂは、第１ハウジング１１の幅方向中心を向いて突出するように湾曲した部分であって、第１コネクタ１及び第２コネクタ１０１が嵌合され、嵌合凹部２２内に第２突出端部１２２が挿入されると、該第２コネクタ１０１の第２補強金具１５１と接触する。なお、前記接触凸部５４ｂが第２コネクタ１０１の第２補強金具１５１と接触すると、ばね部５４ａは、第１ハウジング１１の幅方向外方に弾性的に変位するが、側壁延長部２１ｃの内側面に形成された内側凹部２３ｃ内に収容されるので、側壁延長部２１ｃに当接することがない。
【００５３】
さらに、前記接触凸部５４ｂの上半部は、その先端５４ｃが第１ハウジング１１の幅方向外方に向けて斜め上方向に向くように延出し、前記先端５４ｃの近傍の上面は、傾斜面５４ｄとなっている。図４（ａ）に示されるように、前記接触凸部５４ｂの先端５４ｃは、側壁上カバー部５３ａの先端５３ｅと対向して近接し、接触凸部５４ｂの傾斜面５４ｄは、側壁上カバー部５３ａの傾斜面５３ｆとほぼ平行であるが、該傾斜面５３ｆが存在する傾斜した平面より下方に偏位している。したがって、嵌合凹部２２内に第２突出端部１２２が挿入される際に、第２補強金具１５１は、まず、側壁上カバー部５３ａの傾斜面５３ｆに当接して該傾斜面５３ｆに沿ってスライドした後に、接触凸部５４ｂの傾斜面５４ｄに当接してスライドするので、下方に向いた大きな力が接触腕部５４に作用することが防止され、ばね部５４ａの座屈が防止される。また、側壁上カバー部５３ａと接触腕部５４とは、それぞれ、接続腕部５３と底面カバー部５８とに別個に接続されているため、万が一、第２補強金具１５１が側壁上カバー部５３ａに衝突した際、接続腕部５３が変形した場合にも、それに付随して接触腕部５４が変位することが防止される。
【００５４】
次に、第２コネクタ１０１の構成について説明する。
【００５５】
図５は本実施の形態における嵌合前の第１コネクタと第２コネクタとの位置関係を示す第１コネクタ側から観た斜視図、図６は本実施の形態における第２コネクタの分解図、図７は本実施の形態における第２コネクタの平面図である。
【００５６】
本実施の形態における相手方コネクタとしての第２コネクタ１０１は、合成樹脂等の絶縁性材料によって一体的に形成された相手方コネクタ本体としての第２ハウジング１１１を有する。該第２ハウジング１１１は、図に示されるように、概略直方体である概略長方形の厚板状の形状を備える。そして、第２ハウジング１１１の第１コネクタ１に嵌入される側、すなわち、嵌合面１１１ａ側（Ｚ軸負方向側）には、第２ハウジング１１１の長手方向（Ｘ軸方向）に延在する細長い凹溝部１１３と、該凹溝部１１３の外側を画定するとともに、第２ハウジング１１１の長手方向に延在する細長い凸部としての第２凸部１１２とが一体的に形成されている。該第２凸部１１２は、凹溝部１１３の両側に沿って、かつ、第２ハウジング１１１の両側に沿って形成されている。前記第２コネクタ１は、例えば、縦約５．２〔ｍｍ〕、横約１．９〔ｍｍ〕及び厚さ約０．５〔ｍｍ〕の寸法を備えるものであるが、寸法は適宜変更することができる。
【００５７】
また、各第２凸部１１２には、相手方端子としての第２端子１６１が配設されている。該第２端子１６１は、第１端子６１に対応するピッチで、かつ、対応する数だけ配設されている。前記凹溝部１１３は、第２基板に実装される側、すなわち、実装面１１１ｂ側（Ｚ軸正方向側）が底板によって閉止されている。
【００５８】
そして、前記第２ハウジング１１１の長手方向両端には相手方嵌合ガイド部としての第２突出端部１２２が各々配設されている。該第２突出端部１２２は、第２ハウジング１１１の幅方向（Ｙ軸方向）に延在し、両端が各第２凸部１１２の長手方向両端に接続された肉厚の部材であり、その上面は略長方形の形状を備える。そして、第２突出端部１２２は、第１コネクタ１及び第２コネクタ１０１が嵌合された状態において、前記第１コネクタ１が備える第１突出端部２１の嵌合凹部２２に挿入される挿入凸部として機能する。また、前記第２突出端部１２２には、相手方補強金具としての第２補強金具１５１が取付けられる。
【００５９】
なお、前記第２端子１６１及び第２補強金具１５１は、オーバーモールド成形（インサート成形）によって第２ハウジング１１１と一体化される部材であるから、第２ハウジング１１１から離間して存在するものではないが、説明の都合上、図６においては、第２ハウジング１１１から離間しているように描画されていることに留意されたい。
【００６０】
前記第２端子１６１は、導電性の金属板に打抜き、曲げ等の加工を施すことによって一体的に形成された部材であり、第１接触部１６５と、該第１接触部１６５の上端に接続された接続部１６４と、該接続部１６４の外方端に接続された第２接触部１６６と、該第２接触部１６６の下端に接続されたテール部１６２とを備える。該テール部１６２は、第２ハウジング１１１の外方を向いて延出し、第２基板の導電トレースに連結された接続パッドにはんだ付等によって接続される。なお、前記導電トレースは、典型的には、信号ラインである。また、第１接触部１６５、接続部１６４及び第２接触部１６６の表面が第２凸部１１２の各側面及び嵌合面１１１ａに露出する。
【００６１】
前記接続部１６４における第１接触部１６５側には、嵌合面１１１ａ側端から斜めに実装面１１１ｂ側に向って、比較的長い直線又は緩い曲面を描くように下降する傾斜部１６４ａが形成されている。また、前記接続部１６４における第２接触部１６６側には、該第２接触部１６６との境界部分に、第２ハウジング１１１の幅方向の外方を向いて突出する突出部１６４ｂが形成されている。
【００６２】
前記第２補強金具１５１は、金属板に打抜き、曲げ等の加工を施すことによって一体的に形成された部材であり、第２突出端部１２２の外側を覆う本体部としての中央覆部１５７と、該中央覆部１５７の左右両端に接続された側方覆部１５３とを備える。
【００６３】
前記中央覆部１５７は、第２ハウジング１１１の幅方向に延在して第２突出端部１２２の上面の過半を覆う突出端上カバー部１５７ａと、該突出端上カバー部１５７ａにおける第２突出端部１２２の外側端縁に約９０度湾曲して接続された接続カバー部１５７ｂと、該接続カバー部１５７ｂの下端に曲げて接続され、前後方向（Ｘ軸方向）、すなわち、第２ハウジング１１１の長手方向の外方を向いて延出するテール部１５７ｃとを含んでいる。該テール部１５７ｃは、第２基板の導電トレースに連結された接続パッドにはんだ付等によって接続される。なお、前記導電トレースは、典型的には、電力ライン又はグラウンドラインである。
【００６４】
また、前記側方覆部１５３は、突出端上カバー部１５７ａの左右両端に約９０度湾曲して接続された接続カバー部１５３ａと、該接続カバー部１５３ａの下端から下方に向けて延出する側方カバー部１５３ｂとを含んでいる。該側方カバー部１５３ｂの下端は、第２基板の接続パッドにはんだ付等によって接続される。該接続パッドは、望ましくは、第２基板の導電トレースであって電力ライン又はグラウンドラインとして機能する導電トレースに連結されている。
【００６５】
次に、前記構成の第１コネクタ１と第２コネクタ１０１とを嵌合させる動作及び嵌合を解除する動作について説明する。
【００６６】
図８は本実施の形態における第１コネクタと第２コネクタとの嵌合を解除する際の第２コネクタ側から観た平面図、図９は本実施の形態における第１コネクタと第２コネクタとの嵌合を解除する際の断面図であって図８におけるＤ−Ｄ矢視断面図である。
【００６７】
ここで、第１コネクタ１は、第１端子６１のテール部６２が図示されない第１基板の導電トレースに連結された接続パッドにはんだ付等によって接続され、第１補強金具５１の側板部５３ｂの下端面５３ｃが第１基板の導電トレースに連結された接続パッドにはんだ付等によって接続され、第１補強金具５１の端壁カバー部５７のテール部５７ｃが第１基板の接続パッドにはんだ付等によって接続されることにより、第１基板に表面実装されているものとする。なお、前記第１端子６１のテール部６２が接続される接続パッドに連結された導電トレースは、信号ラインであり、前記第１補強金具５１の側板部５３ｂの下端面５３ｃ及び端壁カバー部５７のテール部５７ｃが接続される接続パッドに連結された導電トレースは電力ライン又はグラウンドラインであるものとする。
【００６８】
同様に、第２コネクタ１０１は、第２端子１６１のテール部１６２が図示されない第２基板の導電トレースに連結された接続パッドにはんだ付等によって接続され、第２補強金具１５１の側方カバー部１５３ｂの下端が第２基板の導電トレースに連結された接続パッドにはんだ付等によって接続され、第２補強金具１５１の中央覆部１５７のテール部１５７ｃが第２基板の接続パッドにはんだ付等によって接続されることにより、第２基板に表面実装されているものとする。なお、前記第２端子１６１のテール部１６２が接続される接続パッドに連結された導電トレースは、信号ラインであり、前記第２補強金具１５１の側方カバー部１５３ｂの下端及び中央覆部１５７のテール部１５７ｃが接続される接続パッドに連結された導電トレースは、電力ライン又はグラウンドラインであるものとする。
【００６９】
まず、オペレータは、図１又は５に示されるように、第１コネクタ１の第１ハウジング１１の嵌合面１１ａと第２コネクタ１０１の第２ハウジング１１１の嵌合面１１１ａとを対向させた状態とし、第２コネクタ１０１の第２凸部１１２の位置が第１コネクタ１の対応する凹溝部１２ａの位置と合致し、第２コネクタ１０１の第２突出端部１２２の位置が第１コネクタ１の対応する嵌合凹部２２の位置と合致すると、第１コネクタ１と第２コネクタ１０１との位置合せが完了する。
【００７０】
この状態で、第１コネクタ１及び／又は第２コネクタ１０１を相手側に接近する方向、すなわち、嵌合方向（Ｚ軸方向）に移動させると、第２コネクタ１０１の第２凸部１１２及び第２突出端部１２２が第１コネクタ１の凹溝部１２ａ及び嵌合凹部２２内に挿入される。これにより、第１コネクタ１と第２コネクタ１０１との嵌合が完了すると、第１端子６１と第２端子１６１とが導通した状態となる。
【００７１】
具体的には、各第１端子６１の第１接触部６５ａと第２接触部６６との間に第２コネクタ１０１の第２端子１６１が挿入され、第１端子６１の第１接触部６５ａと第２端子１６１の第１接触部１６５とが接触し、第１端子６１の第２接触部６６と第２端子１６１の第２接触部１６６とが接触する。その結果、第１端子６１のテール部６２が接続された第１基板上の接続パッドに連結された導電トレースと、第２端子１６１のテール部１６２が接続された第２基板上の接続パッドに連結された導電トレースとが導通する。なお、第１端子６１の突出部６７ｂと第２端子１６１の突出部１６４ｂとが係合するので、第１端子６１と第２端子１６１との結合が確実なものとなり、延いては、第１コネクタ１と第２コネクタ１０１との嵌合状態が確実に維持される。
【００７２】
また、嵌合凹部２２に第２突出端部１２２が挿入され、第１補強金具５１の接触腕部５４の接触凸部５４ｂと、第２突出端部１２２に取付けられた第２補強金具１５１の側方カバー部１５３ｂとが接触する。その結果、第１補強金具５１の側板部５３ｂの下端面５３ｃ及び端壁カバー部５７のテール部５７ｃが接続された第１基板上の接続パッドに連結された導電トレースと、第２補強金具１５１の側方カバー部１５３ｂの下端及び中央覆部１５７のテール部１５７ｃが接続された第２基板上の接続パッドに連結された導電トレースとが導通する。
【００７３】
ところで、面積の広い第１基板及び第２基板に第１コネクタ１及び第２コネクタ１０１が各々実装されているので、オペレータは、第１コネクタ１の嵌合面１１ａと第２コネクタ１０１の嵌合面１１１ａとを目視することができず、手探りで嵌合作業を行うこととなる。すると、手探りなので正確な位置合せをすることができず、第１コネクタ１の位置と第２コネクタ１０１の位置とがずれてしまうことがある。例えば、第１コネクタ１に対して第２コネクタ１０１がＸ軸方向やＹ軸方向に位置ずれして、第２コネクタ１０１の第２突出端部１２２が第１コネクタ１の嵌合凹部２２の位置から外れた状態となることがある。
【００７４】
このような状態で、オペレータが第１コネクタ１及び／又は第２コネクタ１０１を嵌合方向に移動させると、例えば、第２コネクタ１０１の第２突出端部１２２を覆う中央覆部１５７の突出端上カバー部１５７ａが、嵌合凹部２２の側方を画定する側壁延長部２１ｃに当接するので、該側壁延長部２１ｃは下方に向いた強い押圧力を受けることとなる。しかし、前述のように、第１補強金具５１の側板部５３ｂが側壁延長部２１ｃ内に埋設され、側板部５３ｂの外側の過半が側壁延長外側部２１ｃ１によって覆われ、側板部５３ｂの内側の過半が側壁延長内側部２１ｃ２によって覆われ、かつ、側板部５３ｂも形成された貫通孔５３ｄを通して側壁延長外側部２１ｃ１と側壁延長内側部２１ｃ２とが互いに連結されているので、側壁延長部２１ｃは、肉薄であっても、強度が高く、損傷を受けたり破損したりすることがない。なお、端壁部２１ｂも、端壁カバー部５７に覆われ、かつ、該端壁カバー部５７と一体化しているので、強度が高く、損傷を受けたり破損したりすることがない。また、第１凸部１３の端部も島端カバー部５５に覆われ、かつ、前記端壁カバー部５７と一体化しているので、強度が高く、損傷を受けたり破損したりすることがない。
【００７５】
さらに、側板部５３ｂの上端に接続された側壁上カバー部５３は、曲率半径が比較的小さくなるように湾曲し、側壁延長内側部２１ｃ２の上面を覆うように露出しているので、高い強度で、側壁延長内側部２１ｃ２の上面を確実に保護することができる。なお、側壁延長外側部２１ｃ１の上面は、側壁上カバー部５３ａによって覆われることなく露出しているが、側壁上カバー部５３ａの上端よりも低い位置にあるので、第２コネクタ１０１の突出端上カバー部１５７ａが当接することはない。また、第１端子６１は、嵌合面１１ａ、すなわち、側壁部１４の上面から突出しておらず、かつ、側壁部１４の上面が側壁上カバー部５３ａの上端よりも低い位置にあるので、第２コネクタ１０１の突出端上カバー部１５７ａが当接することはない。したがって、第１端子６１や第１ハウジング１１の各部が、第２コネクタ１０１の突出端上カバー部１５７ａによって、損傷を受けたり破損したりすることがない。
【００７６】
さらに、端壁カバー部５７の端壁上カバー部５７ａが傾斜面となっていて、かつ、側壁上カバー部５３ａが傾斜面５３ｆを含み、誘込み面としての機能を発揮するので、第２コネクタ１０１の第２突出端部１２２は、第１コネクタ１の嵌合凹部２２の位置から外れていても、いわゆるセルフアライメント機能によって、第１コネクタ１の嵌合凹部２２との位置合せが自動的に行われ、嵌合凹部２２内にスムーズに挿入される。したがって、第１コネクタ１と第２コネクタ１０１とを容易に嵌合することができる。
【００７７】
次に、互いに嵌合した第１コネクタ１及び第２コネクタ１０１の嵌合を解除する場合、第１凸部１３の両側に沿って２列に並んだ第１端子６１と、凹溝部１１３の両側に沿って２列に並んだ第２端子１６１とが互いに確実に結合することによって、第１コネクタ１と第２コネクタ１０１とが確実に嵌合しているので、図８及び９に示されるように、第１コネクタ１に対してＸ軸を中心に第２コネクタ１０１を回転させるように傾斜させ、第１端子６１と第２端子１６１との結合を１列ずつ解除させることが望ましい。なお、図８及び９は、一方の列（図９における左側の列）の第１端子６１と第２端子１６１との結合のみが解除された状態を示している。
【００７８】
一方の列の第１端子６１と第２端子１６１との結合が解除されてから、第１コネクタ１に対してＸ軸を中心に第２コネクタ１０１を更に回転させると、他方の列（図９における右側の列）における第２端子１６１は、第１端子６１の突出部６７ｂと係合している第２端子１６１の突出部１６４ｂを中心に（図９に示される例においては、時計回り方向）に回転することとなる。この際、第２端子１６１における第１接触部１６５が接続部１６４に接続されている部分は、第１端子６１における第２接触部６６に向って突出する第１接触部６５ａに押付けられた状態で、突出部１６４ｂを中心とした円弧上を移動するが、当該部分には比較的長い直線又は緩い曲線を描くような傾斜部１６４ａが形成されているので、大きな抵抗を受けることなく、スムーズに移動することができる。したがって、他方の列の第１端子６１と第２端子１６１との結合は、前記一方の列の第１端子６１と第２端子１６１との結合よりも、弱い力を付与するだけで解除することができる。
【００７９】
換言すると、第１コネクタ１及び第２コネクタ１０１の嵌合を解除する場合に要する力の大きさには、一方の列の第１端子６１と第２端子１６１との結合を解除する際に第１のピークが存在し、他方の列の第１端子６１と第２端子１６１との結合を解除する際に第２のピークが存在するところ、本実施の形態においては、第２端子１６１が比較的長い直線又は緩い曲線を描くような傾斜部１６４ａを含んでいるので、第２のピークが低くなっている。したがって、第１コネクタ１及び第２コネクタ１０１の嵌合を容易に解除することができる。
【００８０】
このように、本実施の形態においては、第１コネクタ１は、第１ハウジング１１と、第１ハウジング１１に取付けられる第１端子６１と、第１ハウジング１１に取付けられる第１補強金具５１とを備える。そして、第１ハウジング１１は、長手方向両端に形成された第１突出端部２１であって、第２コネクタ１０１の第２ハウジング１１１の長手方向両端に形成された第２突出端部１２２が挿入される嵌合凹部２２が形成された第１突出端部２１を含み、第１補強金具５１は、第１ハウジング１１の幅方向に延在する端壁カバー部５７であって、第１突出端部２１の端壁部２１ｂに取付けられる端壁カバー部５７と、該端壁カバー部５７の両端に接続され、第１ハウジング１１の長手方向中心を向いて延出する左右一対の接続腕部５３であって、第１突出端部２１の側壁延長部２１ｃに取付けられる接続腕部５３とを含み、接続腕部５３は、嵌合方向に延在する側板部５３ｂと、側板部５３ｂの上端に接続された側壁上カバー部５３ａとを含み、側板部５３ｂの外側の少なくとも一部が側壁延長部２１ｃの側壁延長外側部２１ｃ１によって覆われ、側壁上カバー部５３ａは、その先端５３ｅが嵌合凹部２２内を向くように湾曲し、側壁延長部２１ｃの側壁延長内側部２１ｃ２の上面の少なくとも一部を覆う。
【００８１】
これにより、側壁延長部２１ｃは、側板部５３ｂと一体化され、肉薄であっても、高い強度を発揮するので、嵌合作業中に第２コネクタ１０１から大きな押圧力を受けても、第１突出端部２１等が損傷を受けたり、破損したりしてしまうことがない。したがって、第１ハウジング１１の保護状態が確実に維持され、信頼性が向上する。
【００８２】
また、側板部５３ｂは貫通孔５３ｄを含み、貫通孔５３ｄを通して、側壁延長部２１ｃの側壁延長外側部２１ｃ１と側壁延長内側部２１ｃ２とが連結されている。したがって、側壁延長部２１ｃは、側板部５３ｂと強固に一体化される。
【００８３】
さらに、側壁延長部２１ｃの側壁延長外側部２１ｃ１の上面は、側壁上カバー部５３ａの上端よりも低い位置にある。したがって、側壁延長外側部２１ｃ１は、嵌合作業中に第２コネクタ１０１から大きな押圧力を受けることがなく、損傷を受けたり、破損したりしてしまうことがない。
【００８４】
さらに、側板部５３ｂの下端面５３ｃは、側壁延長部２１ｃの下方に露出し、コネクタ１が実装される第１回路基板の表面に当接可能である。これにより、一体化した側壁延長部２１ｃ及び側板部５３ｂの強度が更に向上する。
【００８５】
さらに、第１補強金具５１は、嵌合凹部２２の底面を覆う底面カバー部５８と、底面カバー部５８の左右両側に接続された左右一対の接触腕部５４であって、嵌合凹部２２に挿入された第２突出端部１２２に取付けられた第２補強金具１５１と接触可能な接触腕部５４を含み、接触腕部５４は、第１ハウジング１１の幅方向に弾性的に変位可能なばね部５４ａと、ばね部５４ａの自由端に接続された接触凸部５４ｂであって、第１ハウジング１１の幅方向を向いて突出する接触凸部５４ｂとを含んでいる。これにより、第１補強金具５１は、第２補強金具１５１との導通状態を確実に維持することができる。
【００８６】
さらに、接触凸部５４ｂの上半部は、その先端５４ｃが第１ハウジング１１の幅方向外方に向けて斜め上方向に向くように延出し、先端５４ｃは、側壁上カバー部５３ａの先端５３ｅと対向して近接し、かつ、側壁上カバー部５３ａの先端５３ｅより下方に位置している。これにより、第２コネクタ１０１から大きな押圧力が接触腕部５４に作用することが防止され、ばね部５４ａの座屈が防止される。
【００８７】
なお、本明細書の開示は、好適で例示的な実施の形態に関する特徴を述べたものである。ここに添付された特許請求の範囲内及びその趣旨内における種々の他の実施の形態、修正及び変形は、当業者であれば、本明細書の開示を総覧することにより、当然に考え付くことである。
【産業上の利用可能性】
【００８８】
本開示は、コネクタ及びコネクタ組立体に適用することができる。
【符号の説明】
【００８９】
１    第１コネクタ
１１    第１ハウジング
１１ａ、１１１ａ    嵌合面
１１ｂ、１１１ｂ    実装面
１２、８１７    凹部
１２ａ    凹溝部
１３    第１凸部
１３ａ    薄壁部
１４    側壁部
１５    第１端子収容キャビティ
１５ａ    第１端子収容内側キャビティ
１５ｂ    第１端子収容外側キャビティ
１７    島端部
１７ａ    島端凹部
１７ｂ    島凹部
１８    底板
１８ａ    底開口
２１    第１突出端部
２１ｂ  端壁部
２１ｃ    側壁延長部
２１ｃ１    側壁延長外側部
２１ｃ２    側壁延長内側部
２２    嵌合凹部
２３ａ    外端凹部
２３ｂ    内端凹部
２３ｃ    内側凹部
２３ｄ    中間凹部
５１    第１補強金具
５３    接続腕部
５３ａ    側壁上カバー部
５３ｂ    側板部
５３ｃ    下端面
５３ｄ    貫通孔
５３ｅ、５４ｃ    先端
５３ｆ、５４ｄ    傾斜面
５４    接触腕部
５４ａ    ばね部
５４ｂ    接触凸部
５５    島端カバー部
５５ａ    島端外面カバー部
５５ｂ    島端上面カバー部
５５ｃ    島端没入部
５７    端壁カバー部
５７ａ    端壁上カバー部
５７ｂ    端壁外カバー部
５７ｃ、６２、１６２、１５７ｃ    テール部
５８    底面カバー部
５８ａ    端壁下カバー部
５８ｂ    底面部
６１    第１端子
６３    被保持部
６４    下側接続部
６４ａ    下方内側湾曲部
６４ｂ    下方外側湾曲部
６５    内側接続部
６６、１６６    第２接触部
６７    上側接続部
６７ａ、１６４ａ    傾斜部
６７ｂ、１６４ｂ    突出部
１０１    第２コネクタ
１１１    第２ハウジング
１１２    第２凸部
１１３    凹溝部
１２２    第２突出端部
１５１    第２補強金具
１５３    側方覆部
１５３ａ、１５７ｂ    接続カバー部
１５３ｂ    側方カバー部
１５７    中央覆部
１５７ａ    突出端上カバー部
１６１    第２端子
１６４    接続部
１６５    第１接触部
８１１    ハウジング
８１３    中島
８５１    補強金具
８５３    側方アーム
８５８    Ｕ字アーム
８６１    端子
【図１】
2020184459.tif 000003
【図２】
2020184459.tif 000004
【図３】
2020184459.tif 000005
【図４】
2020184459.tif 000006
【図５】
2020184459.tif 000007
【図６】
2020184459.tif 000008
【図７】
2020184459.tif 000009
【図８】
2020184459.tif 000010
【図９】
2020184459.tif 000011
【図１０】
2020184459.tif 000012